(57)【要約】【課題】バーコードリーダ本体やその基本機能を変えずに簡易な構成で複数の読取り方向を持たせ得ると共に、読取り方向を容易に変更し得る手持ち式アダプタ付きバーコードリーダを提供すること。【解決手段】この手持ち式アダプタ付きバーコードリーダ１０１は、所定方向にレーザ光を出射してバーコードを読取るバーコードリーダ本体２００に対し、レーザ光の出射方向を変えてバーコードの読取り方向を変更可能な機能を持つアダプタ１０２が腕部１３ａ，１３ｂで着脱可能に装着されている。アダプタ１０２では、傾斜されて配置された反射ミラー１２で反射されて出射方向が変更されるレーザ光の出射部分近傍の本体局部を切り欠いてレーザ光の照射位置を確認可能とするために切欠き部１０を設けている他、本体側面の切欠き部１０近傍にレーザ光の照射方向を示すレーザ出射位置表示部１１を設けている。【選択図】　　　図１
2004086749.tif 000002
【特許請求の範囲】
【請求項１】
商品を識別するためのバーコードが印字されて商品用包装に貼り付けられるバーコードラベル又は商品用包装の所定箇所にバーコードが印字されたバーコード部に対して内蔵されたレーザ照射部から所定方向にレーザ光を出射して該バーコードを読取り可能なバーコードリーダ本体へアダプタが装着されて成る手持ち式アダプタ付きバーコードリーダであって、前記アダプタは、前記バーコードリーダ本体における前記レーザ光の出射位置側に着脱可能に装着されると共に、該レーザ光の出射方向を変えて前記バーコードの読取り方向を変更可能な機能を持つことを特徴とする手持ち式アダプタ付きバーコードリーダ。
【請求項２】
請求項１記載の手持ち式アダプタ付きバーコードリーダにおいて、前記アダプタは、前記レーザ光の出射方向に対して傾斜されて配置された反射ミラーと、前記反射ミラーで反射されて出射方向が変更される前記レーザ光の出射部分近傍の本体局部を切り欠いて該レーザ光の照射位置を確認可能とするために設けられた切欠き部とを有することを特徴とする手持ち式アダプタ付きバーコードリーダ。
【請求項３】
請求項２記載の手持ち式アダプタ付きバーコードリーダにおいて、前記本体側面の前記切欠き部近傍には、前記レーザ光の照射方向を示すレーザ出射位置表示部が設けられたことを特徴とする手持ち式アダプタ付きバーコードリーダ。
【請求項４】
請求項３記載の手持ち式アダプタ付きバーコードリーダにおいて、前記切欠き部は、前記バーコードリーダ本体の長手方向と垂直な短手方向に沿って前記本体の対向する側面に露呈されるように延在して形成されており、前記レーザ出射位置表示部は、前記本体の対向する側面の少なくとも一つにおける前記切欠き部近傍に設けられたことを特徴とする手持ち式アダプタ付きバーコードリーダ。
【請求項５】
請求項２〜４の何れか一つに記載の手持ち式アダプタ付きバーコードリーダにおいて、前記本体は、前記バーコードリーダ本体における前記レーザ光の出射部分及び前記切欠き部に対して離間されて傾斜した傾斜面を有し、前記反射ミラーは、前記傾斜面の内壁で嵌合装着されたことを特徴とする手持ち式アダプタ付きバーコードリーダ。
【請求項６】
請求項１〜５の何れか一つに記載の手持ち式アダプタ付きバーコードリーダにおいて、前記本体から前記バーコードリーダ本体の長手方向側へそれぞれ両方のものが一体的に延びて該バーコードリーダ本体を厚さ方向で挟み込むように嵌合装着される腕部を有することを特徴とする手持ち式アダプタ付きバーコードリーダ。
【請求項７】
請求項６記載の手持ち式アダプタ付きバーコードリーダにおいて、前記腕部の少なくとも一方側の所定箇所、及び前記バーコードリーダ本体における該腕部の少なくとも一方側の所定箇所に対応する箇所に対してそれぞれ凹凸で互いに係合されて係止される係止機構が設けられたことを特徴とする手持ち式アダプタ付きバーコードリーダ。
【発明の詳細な説明】
【０００１】
【発明の属する技術分野】
本発明は、主としてバーコードを読取り可能な手持ち式バーコードリーダに関し、詳しくはバーコードリーダ本体に対して着脱可能でレーザ光の出射方向を変えてバーコードの読取り方向を変更可能な機能を持つアダプタを備えた手持ち式アダプタ付きバーコードリーダに関する。
【０００２】
【従来の技術】
従来、商品を識別するためのバーコードが印字されて商品用包装に貼り付けられるバーコードラベル又は商品用包装の所定箇所にバーコードが印字されたバーコード部からバーコードを読取るための手持ち式バーコードリーダは、読取り方向が予め特定の方向に定められており、バーコードリーダ本体に内蔵されたレーザ照射部から所定方向にレーザ光を出射してバーコードラベルやバーコード部におけるバーコードを読取り可能となっている。
【０００３】
このような手持ち式バーコードリーダの場合、レーザの出射方向は通常所定の方向に定められているが、使用形態によってはレーザの出射方向を変更した方が作業効率が良くなる場合もある。そこで、こうした場合、従来では使用形態に合わせて異なった出射方向を持つ異なる種類のバーコードリーダを用意して適宜対応するようにしている。
【０００４】
因みに、ここでの手持ち式バーコードリーダに関連する周知技術としては、例えば特開平４−２０５５８０号公報に開示されたタッチ式バーコードスキャナー、特開平８−７０２６号公報に開示された光学的情報読取装置、特開平８−１９０６０１号公報や特開平９−１７９９２９号公報に開示されたコードリーダ、特開平９−１２８４７３号公報や特開平１１−３９４２２号公報に開示されたバーコードリーダ、特開２０００−１６３５２９号公報に開示されたハンディターミナル、特開２００１−２０９７５３号公報に開示されたバーコード走査装置等が挙げられる。
【０００５】
【発明が解決しようとする課題】
上述した手持ち式バーコードリーダの場合、レーザの出射方向を変えようとすると、その都度異なった出射方向を持つ異なる種類のものの中から適当なものを選択する必要があるため、その選択作業に手間が掛かってしまうばかりでなく、異なる種類のものを常備しておくことは保管や管理の面で煩雑であると共に、そのためのスペース確保も必要となるために不便であるという問題がある。
【０００６】
そこで、既存のバーコードリーダ本体やその基本機能を変えずに複数の読取り方向を持つような手持ち式バーコードリーダの開発が望まれているが、現状では据置き式バーコードリーダの場合には例えば特開平１０−６３７６４号公報に開示されているようにハウジングに対してアタッチメントとして一体的に光路変更装置を組み付けて固定することでレーザの出射方向を変更可能にしたものも開発されているが、手持ち式（ハンディタイプ）のものの場合にはバーコードリーダ本体やその基本機能を変えずにレーザの出射方向を変更できない状況にある。
【０００７】
因みに、この据置き式バーコードリーダの場合においても、複数のネジを用いてハウジングに対して光路変更装置を取り付ける構成であるため、機能上において容易に着脱を行うことができないことにより、組み付けが煩雑である上、読取り方向の変更を容易に行うことができないという問題がある。
【０００８】
本発明は、このような問題点を解決すべくなされたもので、その技術的課題は、バーコードリーダ本体やその基本機能を変えずに簡易な構成で複数の読取り方向を持たせ得ると共に、読取り方向を容易に変更し得る手持ち式アダプタ付きバーコードリーダを提供することにある。
【０００９】
【課題を解決するための手段】
本発明によれば、商品を識別するためのバーコードが印字されて商品用包装に貼り付けられるバーコードラベル又は商品用包装の所定箇所にバーコードが印字されたバーコード部に対して内蔵されたレーザ照射部から所定方向にレーザ光を出射して該バーコードを読取り可能なバーコードリーダ本体へアダプタが装着されて成る手持ち式アダプタ付きバーコードリーダであって、アダプタは、バーコードリーダ本体におけるレーザ光の出射位置側に着脱可能に装着されると共に、該レーザ光の出射方向を変えてバーコードの読取り方向を変更可能な機能を持つ手持ち式アダプタ付きバーコードリーダが得られる。
【００１０】
又、本発明によれば、上記手持ち式アダプタ付きバーコードリーダにおいて、アダプタは、レーザ光の出射方向に対して傾斜されて配置された反射ミラーと、反射ミラーで反射されて出射方向が変更されるレーザ光の出射部分近傍の本体局部を切り欠いて該レーザ光の照射位置を確認可能とするために設けられた切欠き部とを有する手持ち式アダプタ付きバーコードリーダが得られる。
【００１１】
更に、本発明によれば、上記手持ち式アダプタ付きバーコードリーダにおいて、本体側面の切欠き部近傍には、レーザ光の照射方向を示すレーザ出射位置表示部が設けられた手持ち式アダプタ付きバーコードリーダが得られる。
【００１２】
加えて、本発明によれば、上記手持ち式アダプタ付きバーコードリーダにおいて、切欠き部は、バーコードリーダ本体の長手方向と垂直な短手方向に沿って本体の対向する側面に露呈されるように延在して形成されており、レーザ出射位置表示部は、本体の対向する側面の少なくとも一つにおける切欠き部近傍に設けられた手持ち式アダプタ付きバーコードリーダが得られる。
【００１３】
一方、本発明によれば、上記何れか一つの手持ち式アダプタ付きバーコードリーダにおいて、本体は、バーコードリーダ本体におけるレーザ光の出射部分及び切欠き部に対して離間されて傾斜した傾斜面を有し、反射ミラーは、傾斜面の内壁で嵌合装着された手持ち式アダプタ付きバーコードリーダが得られる。
【００１４】
他方、本発明によれば、上記何れか一つの手持ち式アダプタ付きバーコードリーダにおいて、本体からバーコードリーダ本体の長手方向側へそれぞれ両方のものが一体的に延びて該バーコードリーダ本体を厚さ方向で挟み込むように嵌合装着される腕部を有する手持ち式アダプタ付きバーコードリーダが得られる。
【００１５】
この手持ち式アダプタ付きバーコードリーダにおいて、腕部の少なくとも一方側の所定箇所、及びバーコードリーダ本体における該腕部の少なくとも一方側の所定箇所と対応する箇所に対してそれぞれ凹凸で互いに係合されて係止される係止機構が設けられたことは好ましい。
【００１６】
【発明の実施の形態】
以下に本発明の実施の形態について、図面を参照して詳細に説明する。図１は、本発明の一つの実施の形態に係る手持ち式アダプタ付きバーコードリーダ１０１の基本構成を示した外観側面図である。
【００１７】
この手持ち式アダプタ付きバーコードリーダ１０１は、商品を識別するためのバーコードが印字されて商品用包装に貼り付けられるバーコードラベル又は商品用包装の所定箇所にバーコードが印字されたバーコード部に対して内蔵されたレーザ照射部から所定方向にレーザ光を出射してバーコードを読取り可能な既存のバーコードリーダ本体２００に対し、そのレーザ光の出射位置側にレーザ光の出射方向を変えてバーコードの読取り方向を変更可能な機能を持つアダプタ１０２が着脱可能に装着されている。
【００１８】
ここでのアダプタ１０２は、レーザ光の出射方向に対して傾斜されて配置された反射ミラー１２と、この反射ミラー１２で反射されて出射方向が変更されるレーザ光の出射部分近傍の本体局部を切り欠いてレーザ光の照射位置を確認可能とするために設けられた切欠き部１０とを有すると共に、本体側面の切欠き部１０近傍にレーザ光の照射方向を示すレーザ出射位置表示部１１が設けられ、更に、本体からバーコードリーダ本体２００の長手方向側へそれぞれ両方のものが一体的に延びてバーコードリーダ本体２００を厚さ方向で挟み込むように嵌合装着される腕部１３ａ，１３ｂを有している。又、このアダプタ１０２の場合、切欠き部１０がバーコードリーダ本体２００の長手方向と垂直な短手方向に沿って本体の対向する側面に露呈されるように延在して形成されており、レーザ出射位置表示部１１が本体の対向する側面の一つにおける切欠き部１１近傍に設けられ、本体がバーコードリーダ本体２００におけるレーザ光の出射部分及び切欠き部１０に対して離間されて傾斜した傾斜面を有しており、反射ミラー１２が傾斜面の内壁で嵌合装着されている。
【００１９】
図２は、この手持ち式アダプタ付きバーコードリーダ１０１による読取り動作を説明するために示した外観側面図であり、同図（ａ）はバーコードリーダ本体２００のみによる通常読取りモードに関するもの，同図（ｂ）は付設されたアダプタ１０２を用いた場合の変更読取りモードに関するものである。
【００２０】
ここでは、図２（ａ）に示される通常読取りモードの場合、読取り方向が予め特定の方向（長手方向に略垂直な面方向）に定められたバーコードリーダ本体２００のみにより、内蔵されたレーザ照射部から所定方向にレーザ光を出射してバーコードラベル２０１（或いはバーコード部でも良い）におけるバーコードを読取ることを示している。
【００２１】
これに対し、図２（ｂ）に示される変更読取りモードの場合、バーコードリーダ本体２００に対してアダプタ１０２を装着した後、バーコードリーダ本体２００のレーザ照射部から出射されたレーザ光がアダプタ１０２の反射ミラー１２で反射されることにより、バーコードリーダ本体２００からのレーザ光の出射方向が略厚さ方向斜め下方に変更され、その近傍でバーコードラベル２０１（或いはバーコード部でも良い）におけるバーコードを読取ることを示している。
【００２２】
このアダプタ１０２を用いての変更読取りモードでは、反射ミラー１２を反射した後のレーザ光の走査方向（出射位置）が切欠き部１０の存在のために作業者により容易に確認できる他、切欠き部１０近傍の側面にレーザ出射位置表示部１１が設けられているため、レーザ光を出射していないときでも予め作業者がその出射位置を認識することができることにより、使用時に容易にして適確に操作できて極めて取り扱い易いものとなっている。
【００２３】
図３は、この手持ち式アダプタ付きバーコードリーダ１０１に備えられるアダプタ１０２の細部構成を示したもので、同図（ａ）はアダプタ１０２を拡大した外観側面図に関するもの，同図（ｂ）は同図（ａ）のＡ−Ａ線方向における断面により一部の反射ミラー１２の取り付け構造を抜粋した断面図に関するものである。
【００２４】
ここでは、反射ミラー１２が本体の傾斜面の内壁に設けられたミラー挿入部３０に対して嵌合装着される様子を示している。具体的に言えば、ミラー挿入部３０を成す傾斜面の内壁面は一辺側が切り込まれて可撓性を持ち、矢印で示す方向に若干引き起こすことができるようになっており、その一辺側の周縁部には内側に突出した係止用尖り部３１が設けられ、且つ一辺側に対向する他辺側には反射ミラー１２の端部近傍を挿入保持するための保持片３２が設けられている。
【００２５】
即ち、反射ミラー１２を嵌合装着する場合には、傾斜面の内壁面の一辺側を引き起こした状態で反射ミラー１２の一端部を傾斜面の内壁面の他辺側近傍の保持片３２に挿入保持することで反射ミラー１２の主面を傾斜面の内壁面に当接させ、且つ反射ミラー１２の他端部を係止用尖り部３１に当接係止させ、この状態で引き起こしを解放すれば良く、これにより傾斜面の内壁面の一辺側が元の位置に戻って本体の他の側面壁に係止用尖り部３１が接触して反射ミラー１２に対する嵌合装着の完了状態となるが、ここでの保持片３２及び係止用尖り部３１と本体の他の側面壁とは合わせて反射ミラー１２に対するロック機構として働く。
【００２６】
又、反射ミラー１２を外す場合には、同様に傾斜面の内壁面の一辺側を引き起こした状態で傾斜面の外壁面の一辺側を押圧して撓ませることで反射ミラー１２の他端部の係止用尖り部３１への当接係止を解放すれば良く、これにより反射ミラー１２の他端部を掴んで一端部を保持片３２から引き出せば全体が引き抜かれて反射ミラー１２に対する脱操作が完了する。
【００２７】
このような操作により、ミラー挿入部３０に対して反射ミラー１２を脱着することができる。
【００２８】
図４は、この手持ち式アダプタ付きバーコードリーダ１０１におけるバーコードリーダ本体２００に対するアダプタ１０２の装着組み付け操作を説明するために示したものであり、同図（ａ）は装着前のバーコードリーダ本体２００に対するアダプタ１０２の装着方向を示した外観側面図に関するもの，同図（ｂ）は装着前のバーコードリーダ本体２００の底面とアダプタ１０２とに配設された係止機構の細部に関するもの，同図（ｃ）は装着時のバーコードリーダ本体２００に対するアダプタ１０２の装着組み付け方向を示した外観側面図に関するもの，同図（ｄ）は装着完了時のバーコードリーダ本体２００に対するアダプタ１０２の装着組み付け状態を示した外観側面図に関するものである。
【００２９】
バーコードリーダ本体２００に対してアダプタ１０２を装着する場合、アダプタ１０２には本体からバーコードリーダ本体２００の長手方向側へそれぞれ両方へ一体的に延びた腕部１３ａ，１３ｂが設けられているので、これらの腕部１３ａ，１３ｂを図４（ａ）に示される矢印方向に沿ってバーコードリーダ本体２００の厚さ方向の両主面の所定箇所（レーザ光の出射位置側を示す）に被せるようにする。
【００３０】
ところで、この手持ち式アダプタ付きバーコードリーダ１０１の場合、図４（ｂ）に示されるように、アダプタ１０２の腕部１３ａ，１３ｂのうちの一方側の腕部１３ｂの所定の２箇所には凸部１４が設けられ、バーコードリーダ本体２００における腕部１３ｂの所定の２箇所と対応する２箇所には凹部１５が設けられ、これらの凸部１４及び凹部１５がバーコードリーダ本体２００に対するアダプタ１０２の嵌合装着時にそれぞれ互いに係合されて係止される係止機構として働くようになっている。
【００３１】
そこで、図４（ｃ）を参照すれば、バーコードリーダ本体２００に対してアダプタ１０２を嵌合装着させる場合、先ず腕部１３ａをバーコードリーダ本体２００の上面側の所定箇所に当接させた状態で腕部１３ｂをレーザ光を出射する端面側から下面側の所定箇所へ向けて矢印の方向に回転させるように操作する。
【００３２】
この結果、図４（ｄ）を参照すれば、腕部１３ｂの凸部１４がそれぞれバーコードリーダ本体２００の下面側の所定箇所に設けられた凹部１５に係合係止されることで嵌合装着が完了する。
【００３３】
又、アダプタ１０２を外す場合には、腕部１３ａを引っ張るようにアダプタ１０２の本体を若干撓ませることでバーコードリーダ本体２００の凹部１５から腕部１３ｂの凸部１４を抜き出して係止機構を解放すれば良く、この状態で腕部１３ｂがバーコードリーダ本体２００から離れてアダプタ１０２の全体を取り外すことができる。
【００３４】
このような操作により、バーコードリーダ本体２００に対してアダプタ１０２を脱着することができる。尚、アダプタ１０２は、バーコードリーダ本体２００を挟み込むように取り付けられることにより使用時（運用時）には外れ難く、意図して外す場合には容易に外れ易い構造となっている。
【００３５】
【発明の効果】
以上に述べた通り、本発明によれば、バーコードラベルやバーコード部のバーコードを読取り可能なバーコードリーダ本体を既存の構成のままとし、このバーコードリーダ本体に対してレーザ光の出射位置側にレーザ光の出射方向を変えてバーコードの読取り方向を変更可能な機能を持つアダプタを着脱可能に装着した手持ち式アダプタ付きバーコードリーダとして構成しているので、バーコードリーダ本体やその基本機能を変えずに簡易な構成で複数の読取り方向を持たせ得ると共に、読取り方向を容易に変更し得るようになる。特に、このアダプタは、本体からバーコードリーダ本体の長手方向側へそれぞれ両方のものが一体的に延びてバーコードリーダ本体を厚さ方向で挟み込むように嵌合装着される腕部を有しており、しかも腕部及びバーコードリーダ本体にはそれぞれ凹凸で互いに係合されて係止される係止機構が持たされているため、用途に応じてバーコードリーダ本体に対するアダプタの本体の脱着を簡単にして適確に行い得るようになる。又、このアダプタには、傾斜されて配置された反射ミラーで反射されて出射方向が変更されるレーザ光の出射部分近傍の本体局部を切り欠いてレーザ光の照射位置を確認可能とするために切欠き部を設けていると共に、本体側面の切欠き部近傍にレーザ光の照射方向を示すレーザ出射位置表示部を設けているので、アダプタを取り付けた構造上においてレーザ光の出射位置が見えない位置関係になる事態を切欠き部を設けることで回避し、読取り近傍付近でもレーザ光の出射位置を容易に確認できるようになり、レーザ光を出射する前（レーザ光を出射していないとき）でもレーザ出射位置表示部によりレーザ光の出射位置を容易に把握できるので、使用時に容易にして適確に操作できて極めて取り扱い易いものとなる。更に、このアダプタでは、反射ミラーが傾斜面の内壁で嵌合装着され、しかも容易に脱着可能な構造となっているので、保守のためのミラー交換を容易に行い得るようになる。
【図面の簡単な説明】
【図１】本発明の一つの実施の形態に係る手持ち式アダプタ付きバーコードリーダの基本構成を示した外観側面図である。
【図２】図１に示す手持ち式アダプタ付きバーコードリーダによる読取り動作を説明するために示した外観側面図であり、（ａ）はバーコードリーダ本体のみによる通常読取りモードに関するもの，（ｂ）は付設されたアダプタを用いた場合の変更読取りモードに関するものである。
【図３】図１に示す手持ち式アダプタ付きバーコードリーダに備えられアダプタの細部構成を示したもので、（ａ）はアダプタを拡大した外観側面図に関するもの，（ｂ）は（ａ）のＡ−Ａ線方向における断面により一部の反射ミラーの取り付け構造を抜粋した断面図に関するものである。
【図４】図１に示す手持ち式アダプタ付きバーコードリーダにおけるバーコードリーダ本体に対するアダプタの装着組み付け操作を説明するために示したものであり、（ａ）は装着前のバーコードリーダ本体に対するアダプタの装着方向を示した外観側面図に関するもの，（ｂ）は装着前のバーコードリーダ本体の底面とアダプタとに配設された係止機構の細部に関するもの，（ｃ）は装着時のバーコードリーダ本体に対するアダプタの装着組み付け方向を示した外観側面図に関するもの，（ｄ）は装着完了時のバーコードリーダ本体に対するアダプタの装着組み付け状態を示した外観側面図に関するものである。
【符号の説明】
１０　切欠き部
１１　レーザ出射位置表示部
１２　反射ミラー
１３ａ，１３ｂ　腕部
１４　凸部
１５　凹部
３０　ミラー挿入部
３１　係止用尖り部
３２　保持片
１０１　手持ち式アダプタ付きバーコードリーダ
１０２　アダプタ
２００　バーコードリーダ本体
２０１　バーコードラベル
【図１】
2004086749.tif 000003
【図２】
2004086749.tif 000004
【図３】
2004086749.tif 000005
【図４】
2004086749.tif 000006